(57)【要約】【課題】  通常のダイヤルキーを装備した電話機と同様に、任意の相手先へ発信が可能であるダイヤルキーを装備しない電話機およびこの電話機におけるダイヤル発信方法を提供する。【解決手段】  少なくとも３個のワンタッチ発信ボタン１４−１〜１４−３と、通話ボタン１２と、切ボタン１３と、表示部１１を有し、ダイヤル番号を入力する数置キー（テンキー）を有さない電話機１において、待ち受け時に通話ボタン１２が押されると表示部１１に数字を表示させる機能と、ワンタッチ発信ボタン１４−１，１４−３の押し下げによって表示された数字を選択する機能と、ワンタッチ発信ボタン１４−２の押し下げによって選択された数字を決定する機能と、通話ボタン１２の押し下げによって決定された電話番号へ発信する機能とを備えた。【選択図】      図１
2005136714.tif 000002
【特許請求の範囲】
【請求項１】
少なくとも３個のワンタッチ発信ボタンと、通話ボタンと、切ボタンと、表示部を有し、ダイヤル番号を入力する数置キーを有さない電話機において、
待ち受け時に通話ボタンが押されると表示部に数字を表示させる機能と、
ワンタッチ発信ボタンの押し下げによって表示された数字を選択する機能と、
ワンタッチ発信ボタンの押し下げによって選択された数字を決定する機能と、
通話ボタンを押し下げることによって前記決定された電話番号へ発信する機能と
を有することを特徴とする電話機。
【請求項２】
請求項１に記載の電話機において、
待ち受け中に通話ボタンが複数回押されると発信履歴電話番号または着信履歴電話番号を表示する機能と、
ワンタッチ発信ボタンの押し下げによって発信履歴電話番号または着信履歴電話番号を順次表示する機能と、
ワンタッチ発信ボタンの押し下げによって表示された発信履歴電話番号または着信履歴電話番号を決定する機能と、
通話ボタンを押し下げることによって前記決定された電話番号へ発信する機能と、
を有することを特徴とする電話機。
【請求項３】
少なくとも３個のワンタッチ発信ボタンと、通話ボタンと、切ボタンと、表示部を有し、ダイヤル番号を入力する数置キーを有さない電話機からの通常ダイヤル発信方法において、
待ち受け時に通話ボタンが押されると表示部に数字を表示し、
送り機能を有するワンタッチ発信ボタンが押されることにより表示された数字を選択し、
決定機能を有するワンタッチ発信ボタンが押されることにより選択された数字を決定し、
通話ボタンを押すことによって前記決定された数字の電話番号に対して発信処理を実行することを特徴とする通常ダイヤル発信方法。
【請求項４】
少なくとも３個のワンタッチ発信ボタンと、通話ボタンと、切ボタンと、表示部を有し、ダイヤル番号を入力する数置キーを有さない電話機からの通常ダイヤル発信方法において、
待ち受け時に通話ボタンが複数回押されると表示部に発信履歴電話番号または着信履歴電話番号を表示し、
送り機能を有するワンタッチ発信ボタンが押されることにより他の発信履歴電話番号または着信履歴電話番号を順次表示し、
決定機能を有するワンタッチ発信ボタンが押されることにより表示された発信履歴電話番号または着信履歴電話番号を決定し、
通話ボタンを押すことによって前記決定された発信履歴電話番号または着信履歴電話番号に対して発信処理を実行する
ことを特徴とする通常ダイヤル発信方法。
【発明の詳細な説明】
【技術分野】
【０００１】
本発明は、携帯通信装置に関し、ことにワンタッチ発信ボタンを備えダイヤル番号を入力する数置キー（テンキー：以下、ダイヤルキーという）を有さない電話機およびこの電話機からのダイヤル発信方法に関する。
【背景技術】
【０００２】
従来の携帯通信装置などの電話機は、ダイヤルキー（テンキー）を装備し、そのダイヤルキーを使用して電話番号を入力してダイヤル発信を行っていた。また、ダイヤルキーを装備しない電話機は、ワンタッチ発進ボタンなどに相手先の予め登録しておき、限定された相手に発信を行うことが可能とされている（例えば、特許文献１，２参照）。
【特許文献１】特開平６−５４０４４号公報
【特許文献２】特開平９−６４９５０号公報
【発明の開示】
【発明が解決しようとする課題】
【０００３】
上記ダイヤルキーを装備しない電話機は、予め登録されている相手先にのみ発信が可能とされており、任意の電話番号に対して発信をすることができなかった。
【０００４】
本発明は、ダイヤルキーを装備しない電話機において、通常のダイヤルキーを装備した電話機と同様に、任意の相手先へ発信が可能である電話機およびこの電話機におけるダイヤル発信方法を提供することを目的とする。
【課題を解決するための手段】
【０００５】
上記課題を解決するために、本発明は、少なくとも３個のワンタッチ発信ボタンと、通話ボタンと、切ボタンと、表示部を有し、ダイヤルキーを有さない電話機において、待ち受け時に通話ボタンが押されると表示部に数字を表示させる機能と、ワンタッチ発信ボタンの押し下げによって表示された数字を選択する機能と、ワンタッチ発信ボタンの押し下げによって選択された数字を決定する機能と、通話ボタンを押し下げることによって前記決定された電話番号へ発信する機能とを備えた。
【０００６】
さらに、本発明は、上記電話機において、待ち受け中に通話ボタンが複数回押されると発信履歴電話番号または着信履歴電話番号を表示する機能と、ワンタッチ発信ボタンの押し下げによって発信履歴電話番号または着信履歴電話番号を順次表示する機能と、ワンタッチ発信ボタンの押し下げによって表示された発信履歴電話番号または着信履歴電話番号を決定する機能と、通話ボタンを押し下げることによって前記決定された電話番号へ発信する機能とを備えた。
【０００７】
本発明は、少なくとも３個のワンタッチ発信ボタンと、通話ボタンと、切ボタンと、表示部を有し、ダイヤルキーを有さない電話機からの通常ダイヤル発信方法において、待ち受け時に通話ボタンが押されると表示部に数字を表示し、送り機能を有するワンタッチ発信ボタンが押されることにより表示された数字を選択し、決定機能を有するワンタッチ発信ボタンが押されることにより選択された数字を決定し、通話ボタンを押すことによって前記決定された数字の電話番号に対して発信処理を実行するようにした。
【０００８】
本発明は、少なくとも３個のワンタッチ発信ボタンと、通話ボタンと、切ボタンと、表示部を有し、ダイヤルキーを有さない電話機からの通常ダイヤル発信方法において、待ち受け時に通話ボタンが複数回押されると表示部に発信履歴電話番号または着信履歴電話番号を表示し、送り機能を有するワンタッチ発信ボタンが押されることにより他の発信履歴電話番号または着信履歴電話番号を順次表示し、決定機能を有するワンタッチ発信ボタンが押されることにより表示された発信履歴電話番号または着信履歴電話番号を決定し、通話ボタンを押すことによって前記決定された発信履歴電話番号または着信履歴電話番号に対して発信処理を実行するようにした。
【０００９】
なお、上記問題を解決するための手段において、各種ボタンスイッチは、押し下げする形式の独立したスイッチとする他に、タッチパネルとして統合して表示部内に設けてもよい。
【発明の効果】
【００１０】
本発明によれば、ワンタッチ発信ボタンを有しダイヤルキーを有さない電話機において、任意の電話番号を簡単に入力して発信することを可能とし、さらに発信履歴電話番号または着信履歴電話番号を表示してワンタッチ発信ボタンに登録された以外の電話番号へ容易に発信することが可能となる。
【発明を実施するための最良の形態】
【００１１】
本発明にかかる特殊操作による通常ダイヤル発信方法が適用される電話機の外観構造を、図１を用いて説明する。本発明にかかる特殊操作による通常ダイヤル発信方法が適用される電話機１は、ＬＣＤ表示部１１と、通話ボタン１２と、切ボタン１３と、ワンタッチ発信ボタンＡ１４−１，ワンタッチ発信ボタンＢ１４−２，ワンタッチ発信ボタンＣ１４−３と、マイク１５と、受話器１６と、アンテナ１７と、着信表示ＬＥＤ１８とを有して構成される。
【００１２】
ＬＣＤ表示部１１は、着信時に相手先電話番号を表示したり、電池残量、受信電界強度などを表示するとともに、本発明にかかる特殊操作による通常ダイヤル発信方法を用いた発信時に使用者が入力した相手先番号を表示する表示手段である。
【００１３】
通話ボタン１２は、着信時に押し下げることによって着信に応答して通話を開始するボタンである。また、通話ボタン１２は、本発明にかかる特殊操作による通常ダイヤル発信方法を適用して相手先番号を入力した後、押し下げることによって、入力された相手先番号へ発信処理を開始するボタンである。
【００１４】
切ボタン１３は、通話終了時に押し下げることによって、接続を切り通話を終了するボタンである。
【００１５】
ワンタッチ発信ボタンＡ１４−１，ワンタッチ発信ボタンＢ１４−２，ワンタッチ発信ボタンＣ１４−３は、予め特定の相手先の電話番号が対応して登録されており、発信時にいずれかの通話相手先を選択して押し下げることによってワンタッチ発信ボタンに登録された相手先電話番号に発信処理を開始するボタンである。また、ワンタッチ発信ボタンＡ１４−１，ワンタッチ発信ボタンＢ１４−２，ワンタッチ発信ボタンＣ１４−３は、ＬＥＤ表示つきボタンとして構成され、ワンタッチにより登録番号記憶回路に登録された相手先に発信したり、登録された相手先から着信があったことを該当するワンタッチ発信ボタンのＬＥＤを点灯して表示するボタンである。さらに、ワンタッチ発信ボタンＡ１４−１，ワンタッチ発信ボタンＢ１４−２，ワンタッチ発信ボタンＣ１４−３は、本発明にかかる特殊操作による通常ダイヤル発信時にダイヤル番号を選択する場合の送りボタンおよび決定ボタンとしても働く。例えば、ワンタッチ発信ボタンＡ１４−１は左送り（＜）ボタンとしての機能、ワンタッチ発信ボタンＢ１４−２は決定ボタンとしての機能、ワンタッチ発信ボタンＣ１４−３は右送り（＞）ボタンとしての機能を有している。
【００１６】
マイク１５は、送話者の音声を音声データに変換して相手先へ送出する手段である。
【００１７】
受話器１６は、相手先からの音声データを音声に変換して出力する手段である。
【００１８】
アンテナ１７は、基地局との間で信号を送受信する手段である。
【００１９】
着信表示ＬＥＤ１８は、着信時に点灯して着信があることを表示する手段である。
【００２０】
このような外観を有する電話機の機能構成を、図２を用いて説明する。電話機１は、ＬＣＤ表示部１１と、通話ボタン１２と、切ボタン１３と、ワンタッチ発信ボタン１４−１〜１４−３と、マイク１５と、受話器１６と、アンテナ１７と、着信表示ＬＥＤ１８と、データ制御処理部２０と、データ入力処理部２１と、ＬＣＤ駆動制御部２２と、無線制御およびデータ送受信部２３と、音声処理部２４と、制御記憶回路２６と、状態格納回路２７と、登録番号記憶回路２８と、無線送受信装置２９と、バイブレータ３０と、バイブレータ制御部３１とを有して構成される。
【００２１】
ＬＣＤ表示部１１、通話ボタン１２、切ボタン１３、ワンタッチ発信ボタン１４−１〜１４−３、マイク１５、受話器１６、アンテナ１７、着信表示ＬＥＤ１８は、図１を用いて説明した構成部分である。
【００２２】
データ制御処理部２０は、電話機１全体を動作させる指令を出力したり受信したりデータを処理する機能を有している。
【００２３】
データ入力処理部２１は、通話ボタン１２、切ボタン１３、ワンタッチ発信ボタン１４−１〜１４−３からの状態信号が入力され、データ制御処理部２０へ送出する働きを有している。
【００２４】
ＬＣＤ駆動制御部２２は、データ制御処理部２０からの指令によりワンタッチ発信ボタン１４−１〜１４−３に設けたＬＥＤおよび、着信表示ＬＥＤ１８の動作を制御する機能を有している。
【００２５】
無線制御およびデータ送受信部２３は、無線送受信装置２９を制御し、データを送出したり受信する機能を有している。
【００２６】
音声処理部２４は、データ制御処理部２０からの指令により無線制御およびデータ送受信部２３から出力された圧縮デジタルデータを音声データに変換して受話器１６に伝えたり、マイク１５から受信した音声データを圧縮デジタルデータに変換して無線制御およびデータ送受信部２３へ送出する機能を有している。
【００２７】
ＬＥＤ駆動制御部２５は、データ制御処理部２０からの指令によりワンタッチ発信ボタン１４−１〜１４−３に設けたＬＥＤおよび着信表示ＬＥＤ１８の表示を制御する機能を有している。
【００２８】
制御記憶回路２６は、電話機１の動作処理および基地局との指令を記憶する記憶回路である。
【００２９】
状態格納回路２７は、各ボタンや回路の動作状態を格納する記憶回路である。さらに、状態記憶回路２７には、発信した電話番号が記述された発信履歴および着信した電話番号が記述された着信履歴が格納される。
【００３０】
登録番号記憶回路２８は、ワンタッチ発信ボタン１４−１〜１４−３に対応する電話番号を記憶する記憶回路である。
【００３１】
無線送受信装置２９は、基地局とのやりとりを電波にしてアンテナ１７を介して送信したり受信したりする機能を有している。
【００３２】
バイブレータ３０は、振動により着信を知らせる手段である。
【００３３】
バイブレータ制御部３１は、データ制御処理部２０からの指令によりバイブレータ３０の動作を制御する機能を有している。
【００３４】
このような構成を有する電話機１において、待ち受け時にワンタッチ発信するときには、ワンタッチ発信ボタン１４−１〜１４−３のいずれかを選択して１回押し下げると、当該ワンタッチ発信ボタンに登録されている相手先に自動的に発信して、通話することができる。また、着信時には、着信表示ＬＥＤ１８を点滅させて着信を表示し、バイブレータ３０を振動させて着信を通知するとともに、ワンタッチ発信ボタンに登録された相手からの着信に対しては、対応するワンタッチ発信ボタンのＬＥＤを点灯する等して登録相手からの着信であることを表示する。また、ワンタッチ発信ボタンに登録されていない相手からの着信に対しては、ＬＣＤ表示部１１に着信番号を表示する。着信があったときには、使用者は、通話ボタン１２を押し下げて着信に応答して、相手と通話する。
【００３５】
図３を用いて、上記電話機１における、特殊操作による通常ダイヤル発信方法を説明する。電話機１が待ち受け状態にあるときに、使用者が、通話ボタン１２を１回押し下げると（Ｓ１）、ＬＣＤ表示部１１の上段に“０１２３４５６７８９＊＃”が表示される（Ｓ２）。この表示では、例えば、“０”にカーソルを移動させて表示するかまたは“０”を反転表示する。
【００３６】
使用者は、ワンタッチ発信ボタンＡ（左送りボタン）１４−１またはワンタッチ発信ボタンＣ（右送りボタン）１４−３を押し下げてカーソルまたは反転表示を移動させ、希望の数字に合わせてワンタッチ発信ボタンＢ（決定ボタン）１４−２を押し下げて数字を確定する（Ｓ３）。ＬＣＤ表示部１１の下段に電話番号の１桁目（例えば、“０”）が表示される（Ｓ４）。上記操作を繰り返して所望の電話番号をすべて入力するとＬＣＤ表示部１１の下段に相手電話番号（例えば、“０２７４５３ＸＸＸＸ”）が表示され（Ｓ５）、発信待ち状態となる。使用者が、電話番号を確認した後通話ボタン１２を押す（Ｓ６）と、データ制御処理部２０は、無線制御およびデータ送受信部２３に入力された電話番号への発信処理を指示し、発信処理を実行する（Ｓ８）。以下、公衆網を介して相手電話を呼び出し、相手が応答すると、両者の間で通話が行われる。
【００３７】
図４を用いて、発信履歴モードまたは着信履歴モードについて説明する。発信履歴モードはまたは着信履歴モードは、ＬＣＤ表示部１１に発信履歴または着信履歴を表示させるとともに、表示された履歴から相手を選択して発信するモードである。
【００３８】
電話機１が待ち受け状態にあるときに、使用者が、通話ボタン１２を２回または３回押し下げると（Ｓ１１）、２回押し下げの場合は発信履歴モードに移行し、ＬＣＤ表示部１１の下段に発信履歴に記憶された最新の電話番号（例えば、“０２７４５３ＸＸＸＸ”）を表示する（Ｓ１２）。求める電話番号でないときには、使用者は、ワンタッチ発信ボタンＡ（左送りボタン）１４−１またはワンタッチ発信ボタンＣ（右送りボタン）１４−３を押し下げて発信履歴に記憶された電話番号を順次表示し、希望する電話番号が表示されると、ワンタッチ発信ボタンＢ（決定ボタン）１4−２を押し下げて電話番号を確定する（Ｓ１２）。通話ボタン１２を押す（Ｓ１６）と、データ制御処理部２０は、無線制御およびデータ送受信部２３に選択された電話番号への発信処理を指示し、発信処理を実行する（Ｓ１７）。以下、公衆網を介して相手電話を呼び出し、相手が応答すると、両者の間で通話が行われる。
【００３９】
ステップＳ１１において、３回押し下げの場合は着信履歴モードに移行し、ＬＣＤ表示部１１の下段に着信履歴に記憶された最新の電話番号（例えば、“０３３４９６ＹＹＹＹ”）を表示する（Ｓ１４）。求める電話番号でないときには、使用者は、ワンタッチ発信ボタンＡ（左送りボタン）１４−１またはワンタッチ発信ボタンＣ（右送りボタン）１４−３を押し下げて着信履歴に記憶された電話番号を順次表示し、希望する電話番号が表示されると、ワンタッチ発信ボタンＢ（決定ボタン）１４−２を押し下げて電話番号を確定する（Ｓ１５）。通話ボタン１２を押す（Ｓ１６）と、データ制御処理部２０は、無線制御およびデータ送受信部２３に選択された電話番号への発信処理を指示し、発信処理を実行する（Ｓ１７）。以下、公衆網を介して相手電話を呼び出し、相手が応答すると、両者の間で通話が行われる。
【００４０】
このようにして、発信履歴または着信履歴に記憶された電話番号を呼び出して、希望する電話番号を選択して発信することができる。
【００４１】
以上の説明では待ち受け中に通話ボタンが１回押されると、特殊操作による通常のダイヤル発信モードとなり、２回押されると発信履歴モード、３回押されると着信履歴モードとなるように説明したが、さらに、通話ボタンが４回押されると、再び特殊操作による通常のダイヤル発信モードに戻り、以降、特殊操作による通常のダイヤル発信モード→発信履歴モード→着信履歴モード→特殊操作による通常のダイヤル発信モードの繰り返しとなる。この状態で切ボタン１３を押すことによって、これらのモードを解除し待ち受け中に移行する。
【図面の簡単な説明】
【００４２】
【図１】本発明にかかる特殊操作による通常ダイヤル発信方法が適用される電話機の外観構造を説明する図
【図２】本発明にかかる特殊操作による通常ダイヤル発信方法が適用される電話機の機能構成を説明する図
【図３】本発明にかかる特殊操作による通常ダイヤル発信方法の処理の流れを説明する図
【図４】本発明にかかる特殊操作による通常ダイヤル発信方法における履歴モードにおける発信処理の流れを説明する図
【符号の説明】
【００４３】
１  電話機
１１  ＬＣＤ表示部
１２  通話ボタン
１３  切ボタン
１４−１  ワンタッチ発信ボタンＡ（左送りボタン）
１４−２  ワンタッチ発信ボタンＢ（決定ボタン）
１４−３  ワンタッチ発信ボタンＣ（右送りボタン）
１５  マイク
１６  受話器
１７  アンテナ
１８  着信表示ＬＥＤ
２０  データ制御処理部
２１  データ入力処理部
２２  ＬＣＤ駆動制御部
２３  無線制御およびデータ送受信部
２４  音声処理部
２５  ＬＥＤ駆動制御部
２６  制御記憶回路
２７  状態格納回路
２８  登録番号記憶回路
２９  無線送受信装置
３０  バイブレータ
３１  バイブレータ制御部
【図１】
2005136714.tif 000003
【図２】
2005136714.tif 000004
【図３】
2005136714.tif 000005
【図４】
2005136714.tif 000006